(57)【要約】【課題】耐圧強度を確保することができ、外形状が変形するのを好適に防止することができる包装箱を提供する。【解決手段】壁面の少なくとも一部に開封用のジッパー１７が設けられた包装箱１である。ジッパー１７は、切れ目を備える一対の切断誘導線Ｌ１７と、一対の切断誘導線Ｌ１７を縁部として区画される帯状領域１７ａと、縁部に交差する開封誘導線Ｌ１８と、を備えている。開封誘導線Ｌ１８は、押罫からなる。【選択図】図１
2019077487.tif 000002
【特許請求の範囲】
【請求項１】
壁面の少なくとも一部に開封用のジッパーが設けられた包装箱であって、
前記ジッパーは、
切れ目を備える一対の切断誘導線と、
前記一対の切断誘導線を縁部として区画される帯状領域と、
前記縁部に交差する開封誘導線と、を備えており、
前記開封誘導線は、押罫からなることを特徴とする包装箱。
【請求項２】
前記開封誘導線は、前記帯状領域の外側から内側に亘って延在する第一部分を含んでおり、
前記第一部分の両端部のうち、前記帯状領域の外側に位置する端部は、前記帯状領域の内側に位置する端部よりも前記ジッパーの開封開始側に位置することを特徴とする請求項１に記載の包装箱。
【請求項３】
前記開封誘導線は、前記帯状領域の内側から外側に亘って延在する第二部分を含んでおり、
前記第二部分の両端部のうち、前記帯状領域の内側に位置する端部は、前記帯状領域の外側に位置する端部よりも前記ジッパーの開封開始側に位置することを特徴とする請求項１または請求項２に記載の包装箱。
【請求項４】
前記開封誘導線は、前記帯状領域の外側から内側に向けて弧状に膨出形成されていることを特徴とする請求項１から請求項３のいずれか１項に記載の包装箱。
【請求項５】
前記一対の切断誘導線のうち、一方の前記切断誘導線に交差する前記開封誘導線と、他方の前記切断誘導線に交差する前記開封誘導線とは、前記ジッパーの開封方向に交互に配置されていることを特徴とする請求項１から請求項４のいずれか１項に記載の包装箱。
【請求項６】
底板と、
前記底板の前後の縁部に連設された前後一対の端壁と、
一方の前記端壁の上縁部に連設された頂板と、
左右一対の側壁と、を備えており、
前記側壁は、
前記両端壁にそれぞれ連設された前後の側部フラップと、
前記頂板に連設された上側フラップと、
前記底板に連設された下側フラップと、を備え、
前記ジッパーは、前側の前記端壁から前側の前記側部フラップに亘って設けられているとともに、後側の前記端壁から後側の前記側部フラップに亘って設けられていることを特徴とする請求項１から請求項５のいずれか１項に記載の包装箱。
【請求項７】
前側の前記端壁と前側の前記側部フラップとの角部、および後側の前記端壁と後側の前記側部フラップとの角部において、一方の前記切断誘導線に交差する前記開封誘導線と、他方の前記切断誘導線に交差する前記開封誘導線とは、
前記角部の罫線方向に対向していることを特徴とする請求項６に記載の包装箱。
【発明の詳細な説明】
【技術分野】
【０００１】
本発明は包装箱に関する。
【背景技術】
【０００２】
従来、飲料用の缶（缶商品）等を収納する包装箱として、箱体の胴部に帯状の開封用のジッパーが設けられた包装箱が知られている（特許文献１参照）。
特許文献１の包装箱では、外周壁面のライナに、切れ目が断続するライナカット線を入れてジッパーを設けている。ライナカット線は、開封方向に対して、手前の切れ目の終端よりも次の切れ目が内側に位置するように形成されている。
特許文献１の包装箱によれば、開封時に、手前の切れ目から生じた裂け目がライナカット線を逸脱して内側にずれても、この裂け目が次の切れ目に達する状態となる。これにより、前後の切れ目が連続して切れることとなり、ジッパーが途中でちぎれ難くなる。
【先行技術文献】
【特許文献】
【０００３】
【特許文献１】特開２００３−３４１６６４号公報
【発明の概要】
【発明が解決しようとする課題】
【０００４】
しかしながら、特許文献１の包装箱に備わるジッパーは、切れ目が直線状とされた一般的なジッパーに比べて、切れ目の総延長が大きくなっていた。このため、包装箱の耐圧強度が低下するおそれがあった。特に、内容物を収容した状態で包装箱を複数積み重ねた場合に、包装箱の壁面が周方向外側に膨らんで外形状が変形するおそれがあった。
【０００５】
本発明は、前記した課題を解決し、耐圧強度を確保することができ、外形状が変形するのを好適に防止することができる包装箱を提供することを課題とする。
【課題を解決するための手段】
【０００６】
前記課題を解決するため、本発明の包装箱は、壁面の少なくとも一部に開封用のジッパーが設けられた包装箱であって、前記ジッパーは、切れ目を備える一対の切断誘導線と、前記一対の切断誘導線を縁部として区画される帯状領域と、前記縁部に交差する開封誘導線と、を備えている。前記開封誘導線は、押罫からなる。
【０００７】
本発明では、開封時に切れ目から生じた裂け目が切断誘導線を逸脱しようとしても、これを帯状領域の縁部に交差する開封誘導線によって矯正することができる。
また、ジッパーに備わる切れ目は一対の切断誘導線のみであり、帯状領域の縁部に交差する開封誘導線は、押罫からなるので、切れ目が増加することがなく、切れ目の総延長が大きくなることがない。したがって、包装箱の耐圧強度を確保することができ、包装箱の外形状が変形するのを好適に防止することができる。
【０００８】
また、前記開封誘導線は、前記帯状領域の外側から内側に亘って延在する第一部分を含むことが好ましい。この場合には、前記第一部分の両端部のうち、前記帯状領域の外側に位置する端部が、前記帯状領域の内側に位置する端部よりも前記ジッパーの開封開始側に位置するのがよい。この構成では、切断誘導線に沿う裂け目を開封誘導線の第一部分で帯状領域の内側に誘導することができる。したがって、帯状領域の外側にずれようとする裂け目を内側に矯正することができる。これにより、開封時に帯状領域を逸脱してジッパーが広がってしまうのを好適に防止することができる。
【０００９】
また、前記開封誘導線は、前記帯状領域の内側から外側に亘って延在する第二部分を含むことが好ましい。この場合には、前記第二部分の両端部のうち、前記帯状領域の内側に位置する端部が、前記帯状領域の外側に位置する端部よりも前記ジッパーの開封開始側に位置するのがよい。この構成では、切断誘導線に沿う裂け目を開封誘導線の第二部分で帯状領域の外側に誘導することができる。したがって、帯状領域の内側にずれようとする裂け目を外側に矯正することができる。これにより、開封時に帯状領域が狭まってジッパーがちぎれるのを好適に防止することができる。
【００１０】
また、前記開封誘導線は、前記帯状領域の外側から内側に向けて弧状に膨出形成されていることが好ましい。この構成では、ジッパーの開封方向に沿って、開封誘導線は、帯状領域の外側から内側に亘って延在する部分と、帯状領域の内側から外側に亘って延在する部分とが連続する状態となる。これにより、開封時には、帯状領域の外側にずれようとする裂け目を帯状領域の内側に誘導する作用と、帯状領域の内側にずれようとする裂け目を帯状領域の外側に誘導する作用とが交互に生じることとなる。その結果、ジッパーのちぎれや広がりが好適に抑えられることとなり、ジッパーを安定して開封することができる。
【００１１】
また、前記一対の切断誘導線のうち、一方の前記切断誘導線に交差する前記開封誘導線と、他方の前記切断誘導線に交差する前記開封誘導線とは、前記ジッパーの開封方向に交互に配置されているのが好ましい。このように構成することで、ジッパーの開封方向と直交する方向に開封誘導線が並ばない（対向しない）ので、包装箱の耐圧強度を確保することができる。
【００１２】
また、包装箱が、底板と、前記底板の前後の縁部に連設された前後一対の端壁と、一方の前記端壁の上縁部に連設された頂板と、左右一対の側壁と、を備えている構成とするのがよい。この場合には、前記側壁が、前記両端壁にそれぞれ連設された前後の側部フラップと、前記頂板に連設された上側フラップと、前記底板に連設された下側フラップと、を備えるのがよい。そして、前記ジッパーは、前側の前記端壁から前側の前記側部フラップに亘って設けられているとともに、後側の前記端壁から後側の前記側部フラップに亘って設けられていることが好ましい。この構成では、ジッパーを開封操作することで、底板側と頂板側とに包装箱を容易に分離して開封することができる。
【００１３】
また、前側の前記端壁と前側の前記側部フラップとの角部、および後側の前記端壁と後側の前記側部フラップとの角部において、一方の前記切断誘導線に交差する前記開封誘導線と、他方の前記切断誘導線に交差する前記開封誘導線とは、前記角部の罫線方向に対向していることが好ましい。このように構成することによって、ジッパーの裂け目がずれやすい角部において、裂け目のずれを好適に抑制することができる。したがって、開封操作性に優れる包装箱が得られる。
【発明の効果】
【００１４】
本発明では、耐圧強度を確保することができ、外形状が変形するのを好適に防止することができる包装箱が得られる。
【図面の簡単な説明】
【００１５】
【図１】本発明の実施形態に係る包装箱を前方右上から見た斜視図である。
【図２】本発明の実施形態に係る包装箱のブランクシートである。
【図３】本発明の実施形態に係る包装箱のジッパーを示した要部拡大図である。
【図４】本発明の実施形態に係る包装箱の角部におけるジッパーを示した要部拡大図である。
【図５】本発明の実施形態に係る包装箱のジッパーの作用を説明する説明図である。
【図６】本発明の実施形態に係る包装箱のジッパーの第一変形例を示した要部拡大図である。
【図７】本発明の実施形態に係る包装箱のジッパーの第二変形例を示した要部拡大図である。
【図８】本発明の実施形態に係る包装箱のジッパーの第三変形例を示した要部拡大図である。
【図９】本発明の実施形態に係る包装箱のジッパーの第四変形例を示した要部拡大図である。
【発明を実施するための形態】
【００１６】
本発明の実施形態について、適宜図面を参照しながら詳細に説明する。
以下の説明において、前後左右上下の方向は、包装箱を説明する上で便宜上設定したものであり、包装箱の構成を限定するものではない。
【００１７】
図１に示すように、包装箱１は、ラップアラウンド方式の直方体の箱である。包装箱１は、底板１０と、前後一対の端壁１１，１２と、左右一対の側壁１３，１４と、頂板１５と、を備えている。包装箱１は、例えば、飲料用の缶（缶商品）等の製品を収納可能である。
【００１８】
包装箱１は、図２に示すように、一枚の段ボール製のシートを切り抜いたブランクシートＳを各罫線において山折り又は谷折りすることで形成される。図２に示すブランクシートＳは内面側が見えるように配置されている。
ブランクシートＳの各罫線（折線）は、ブランクシートＳの表面を押し込んで形成された線状の溝（押罫）である。
なお、罫線に切れ込み（ハーフカット線等）を形成してもよい。このようにすると、罫線においてブランクシートＳを折り曲げ易くなる。
【００１９】
底板１０は、図１に示すように、長方形に形成されており、前後方向よりも左右方向が大きく形成されている。底板１０の前後の縁部には、罫線Ｌ１，Ｌ２を介して前端壁（端壁）１１及び後端壁（端壁）１２が連設されている。
【００２０】
前端壁１１は、底板１０の前縁部から上方に向けて立ち上がっている。前端壁１１は、底板１０に対して垂直に形成されている。前端壁１１は、略長方形に形成されており、上下方向よりも左右方向が大きく形成されている。
前端壁１１の上縁部には、罫線Ｌ４を介して接合片１６が連設されている。接合片１６は、前端壁１１の上縁部に沿って左右方向に帯状に延在している。
【００２１】
後端壁１２は、底板１０の後縁部から上方に向けて立ち上がっている。後端壁１２は、底板１０に対して垂直に形成されている。後端壁１２は、前端壁１１に対応して長方形に形成されており、上下方向よりも左右方向が大きく形成されている。
【００２２】
後端壁１２の上縁部には、罫線Ｌ３を介して頂板１５が連設されている。頂板１５は、後端壁１２の上縁部から前方に向けて延びている。頂板１５は、底板１０と同じ外形状であり、前端壁１１，後端壁１２に対して垂直に形成されている。
【００２３】
ブランクシートＳ（図２参照）を前記罫線Ｌ１〜Ｌ４で折り曲げつつ、頂板１５の前部内面に接合片１６を貼着して接合することで、前端壁１１、底板１０、後端壁１２、頂板１５が角筒状を呈するようになる。
【００２４】
右側壁１４は、底板１０の右縁部及び頂板１５の右縁部に対して垂直に形成されている。右側壁１４は、前端壁１１に連設された前側の側部フラップ２１と、後端壁１２に連設された後側の側部フラップ２２と、頂板１５に連設された上側フラップ３１と、底板１０に連設された下側フラップ３２と、によって構成されている。右側壁１４の中央部には、四角い開口部２０（図１参照）が形成されている。開口部２０は、前側の側部フラップ２１の後縁部、後側の側部フラップ２２の前縁部、上側フラップ３１の下縁部及び下側フラップ３２の上縁部で囲われて形成されている。
【００２５】
前側の側部フラップ２１は、前端壁１１の右縁部に罫線Ｌ５を介して連設されている。前側の側部フラップ２１は、前端壁１１の右縁部から後方に向けて延びている。前側の側部フラップ２１は、前端壁１１に対して垂直に形成されている。
【００２６】
後側の側部フラップ２２は、後端壁１２の右縁部に罫線Ｌ６を介して連設されている。後側の側部フラップ２２は、後端壁１２の右縁部から前方に向けて延びている。後側の側部フラップ２２は、後端壁１２に対して垂直に形成されている。
【００２７】
前側の側部フラップ２１及び後側の側部フラップ２２の前後方向の長さは、底板１０及び頂板１５の前後方向の長さの約１／３である。
【００２８】
上側フラップ３１は、頂板１５の右縁部に罫線Ｌ８を介して連設されている。上側フラップ３１は、頂板１５の右縁部から下方に向けて延びている。上側フラップ３１は、頂板１５に対して垂直に形成されている。
【００２９】
上側フラップ３１の上下方向の長さは、前後の端壁１１，１２の上下方向の長さの約２／５である。上側フラップ３１の内面は、前後の側部フラップ２１，２２の外面の上部に接着剤によって接合されている。
【００３０】
上側フラップ３１の前後方向の中央部には、切断線Ｌ３３で区画された手掛け穴用壁部３３が形成されている。手掛け穴用壁部３３は、図１に示すように、前後の側部フラップ２１，２２の間に配置されている。そして、手掛け穴用壁部３３は、包装箱１の運搬時に、罫線Ｌ３３ａを介して右側壁１４の内面側に折り曲げられて、手指を掛ける手掛け穴を形成する。
【００３１】
下側フラップ３２は、底板１０の右縁部に罫線Ｌ７を介して連設されている。下側フラップ３２は、底板１０の右縁部から上方に向けて延びている。下側フラップ３２は、底板１０に対して垂直に形成されている。
下側フラップ３２の上下方向の長さは、前後の端壁１１，１２の上下方向の長さの約２／５である。下側フラップ３２の内面は、前後一対の側部フラップ２１，２２の外面の下部に接着剤によって接合されている。
【００３２】
左側壁１３は、底板１０の左縁部及び頂板１５の左縁部に対して垂直に形成されている。左側壁１３と右側壁１４とは左右対称な構成である。左側壁１３は、右側壁１４と同様に、前後の側部フラップ２１，２２、上側フラップ３１（図２参照）及び下側フラップ３２（図２参照）によって構成されている。左側壁１３においても同様に、上側フラップ３１に手掛け穴用壁部３３が形成されている。
【００３３】
前端壁１１及び前側の側部フラップ２１，２１の内面には、図１，図２に示すように、開封用のジッパー１７が連続して形成されている。ジッパー１７は、前端壁１１の上下方向の中央部において左右方向に延び、前側の側部フラップ２１，２１の上下方向の中央部において前後方向に延びている。ジッパー１７は、前端壁１１及び左右二つの前側の側部フラップ２１，２１を上下に分割する引裂帯として機能する。
ジッパー１７は、図３に示すように、平行に延びる一対の切断誘導線Ｌ１７，Ｌ１７と、帯状領域１７ａと、開封誘導線Ｌ１８とを備えている。一対の切断誘導線Ｌ１７，Ｌ１７は、ミシン目状の切れ目を備える。本実施形態のミシン目状の切れ目は、包装箱１の外面側に切れ目が現れないハーフカット線にて形成している。各切れ目は、折れ曲がりのない直線状を呈している。複数の切れ目は間隔を空けて一直線状に並んでいる。帯状領域１７ａは、一対の切断誘導線Ｌ１７，Ｌ１７を縁部として区画される領域であり、開封時に切り取られる部分となる。
【００３４】
開封誘導線Ｌ１８は、前端壁１１の内側の表面を押し込んで形成された線状の溝（押罫）からなり、帯状領域１７ａの縁部に交差している。開封誘導線Ｌ１８は、帯状領域１７ａの外側から内側に向けて弧状（略三日月状）に膨出形成されている。すなわち、開封誘導線Ｌ１８の両端部は、帯状領域１７ａの外側に位置しており、開封誘導線Ｌ１８の中間部は、帯状領域１７ａの内側に入り込んでいる。
これにより、開封誘導線Ｌ１８は、図３に示すように、第一部分Ｌ１８ａ及び第二部分Ｌ１８ｂを備えている。第一部分Ｌ１８ａは、帯状領域１７ａの外側から内側に亘って延在する部分（開封方向の前半部分であり開封時の裂け目が先に到達する部分）である。第二部分Ｌ１８ｂは、帯状領域１７ａの内側から外側に亘って延在する部分（開封方向の後半部分であり、開封時の裂け目が第一部分Ｌ１８ａの後に到達する部分）である。第一部分Ｌ１８ａと第二部分Ｌ１８ｂとは、左右対称形状である。第一部分Ｌ１８ａの両端部のうち、帯状領域１７ａの外側に位置する端部は、帯状領域１７ａの内側に位置する端部よりもジッパー１７の開封開始側（切れ目部１９が存在する側）に位置している。また、第二部分Ｌ１８ｂの両端部のうち、帯状領域１７ａの内側に位置する端部は、帯状領域１７ａの外側に位置する端部よりもジッパー１７の開封開始側に位置している。
【００３５】
なお、第一部分Ｌ１８ａの帯状領域１７ａの内側に位置する端部と、第二部分Ｌ１８ｂの帯状領域１７ａの内側に位置する端部とは、本実施形態では帯状領域１７ａ内で繋がって連続しているため仮想の端部である。
【００３６】
なお、開封誘導線Ｌ１８は、帯状領域１７ａの縁部に対して交差していればよく、切断誘導線Ｌ１７の切れ目に対して必ずしも交差している必要はない。
また、開封誘導線Ｌ１８の第一部分Ｌ１８ａ及び第二部分Ｌ１８ｂは、ジッパー１７の開封方向（左右方向）に連続する一本の溝（押罫）として構成したが、これに限られるものではない。例えば、第一部分Ｌ１８ａ，第二部分Ｌ１８ｂごとに開封方向（切れ目方向）に分離して形成してもよい。
【００３７】
上側の切断誘導線Ｌ１７に交差する開封誘導線Ｌ１８と下側の切断誘導線Ｌ１７に交差する開封誘導線Ｌ１８とは、ジッパー１７の開封方向に交互に配置されている。つまり、上下の開封誘導線Ｌ１８は、ジッパー１７の上下方向（切断誘導線Ｌ１７に直交する方向）にて対向しないように配置されている。
【００３８】
一方、図４に示すように、前端壁１１と前側の側部フラップ２１との角部２４においては、上下の開封誘導線Ｌ１８，Ｌ１８が角部２４の罫線Ｌ５の延在方向に対向するように配置されている。
【００３９】
前端壁１１の中央部には、図１に示すように、略Ｈ字形の切れ目部１９が形成されている。ジッパー１７は、切れ目部１９を介して左右方向に引き裂かれる。
【００４０】
後端壁１２及び左右の後側の側部フラップ２２，２２の内面にも、ジッパー１７が形成されている。ジッパー１７は、後端壁１２及び左右の後側の側部フラップ２２，２２を上下に分割する引裂帯として機能する。後側の開封誘導線Ｌ１８，Ｌ１８も、ジッパー１７の上下方向（切断誘導線Ｌ１７に直交する方向）に対向しないように配置されている。また、開封誘導線Ｌ１８は、後端壁１２と後側の側部フラップ２２との角部２４においても、角部２４の罫線Ｌ５の延在方向に対向するように配置されている。
【００４１】
次に、包装箱１を開封する際のジッパー１７の作用について図５を参照して説明する。
ジッパー１７を開封する際は、切れ目部１９を指で摘んで、これをジッパー１７の延在方向に引っ張る操作を行う。そうすると、一対の切断誘導線Ｌ１７，Ｌ１７に沿って裂け目がそれぞれ形成され、帯状領域１７ａが延在方向に沿って切り離され始める。
【００４２】
帯状領域１７ａが切り離される過程で、切断誘導線Ｌ１７に沿う裂け目は、開封誘導線Ｌ１８に交差しながら切断誘導線Ｌ１７の延在方向に形成される。このとき、切断誘導線Ｌ１７に沿う裂け目が開封誘導線Ｌ１８の第一部分Ｌ１８ａに差し掛かると、第一部分Ｌ１８ａに沿って帯状領域１７ａの内側に裂け目が誘導される（図中矢印Ａ１参照）。したがって、帯状領域１７ａの外側にずれようとする裂け目が生じている場合には、裂け目が帯状領域１７ａの内側に向かうように矯正される。
【００４３】
その後、切断誘導線Ｌ１７に沿う裂け目が開封誘導線Ｌ１８の第二部分Ｌ１８ｂに差し掛かると、第二部分Ｌ１８ｂに沿って帯状領域１７ａの外側に裂け目が誘導される（図中矢印Ａ２参照）。したがって、帯状領域１７ａの内側にずれようとする裂け目が生じている場合には、裂け目が帯状領域１７ａの外側に向かうように矯正される。
【００４４】
このような開封誘導線Ｌ１８の第一部分Ｌ１８ａ及び第二部分Ｌ１８ｂによる矯正は、帯状領域１７ａが切り離される過程で一対の切断誘導線Ｌ１７ごとに順次行われる。これにより、帯状領域１７ａが切り離される過程で、ジッパーのちぎれや広がりが好適に抑えられる。
【００４５】
以上説明した本実施形態の包装箱１では、開封時に切断誘導線Ｌ１７の切れ目から生じた裂け目が切断誘導線Ｌ１７を逸脱しようとしても、これを帯状領域１７ａの縁部に交差する開封誘導線Ｌ１８によって矯正することができる。
また、ジッパー１７に備わる切れ目は一対の切断誘導線Ｌ１７，Ｌ１７のみであり、帯状領域１７ａの縁部に交差する開封誘導線Ｌ１８は、ブランクシートＳの内側の表面を押し込んで形成された押罫からなる。したがって、切れ目が増加することがなく、切れ目の総延長が大きくなることがない。これにより、包装箱１の耐圧強度を確保することができ、包装箱１の外形状が変形するのを好適に防止することができる。したがって、内容物を収容した状態で包装箱１を複数積み重ねた場合にも、包装箱１の壁面が周方向外側に膨らんで外形状が変形することが防止される。
【００４６】
また、弧状の開封誘導線Ｌ１８を用いることで、ジッパー１７の開封方向に沿って、第一部分Ｌ１８ａと、第二部分Ｌ１８ｂとを連続させることができる。これにより、帯状領域１７ａの外側にずれようとする裂け目を内側に誘導する作用と、帯状領域１７ａの内側にずれようとする裂け目を外側に誘導する作用とを交互に生じさせることができる。したがって、開封時に、ジッパー１７のちぎれや広がりが好適に抑えられることとなり、ジッパー１７を安定して開封することができる。
なお、開封誘導線Ｌ１８は、左右対称形状の第一部分Ｌ１８ａ及び第二部分Ｌ１８ｂを備えているので、開封方向が左側から右側のジッパー１７と、開封方向が右側から左側のジッパー１７との両方に対応できる。
【００４７】
また、一方の切断誘導線Ｌ１７に交差する開封誘導線Ｌ１８と、他方の切断誘導線Ｌ１７に交差する開封誘導線Ｌ１８とは、ジッパー１７の開封方向に交互に配置されている。したがって、上下方向（開封方向と直交する方向）に開封誘導線Ｌ１８が並ぶのを防止できる。これにより、包装箱１の上下方向における耐圧強度を確保することができる。
【００４８】
また、ジッパー１７が、前端壁１１から前側の側部フラップ２１，２１に亘って設けられるとともに、後端壁１２から後側の側部フラップ２２，２２に亘って設けられているので、ジッパー１７の開封操作で包装箱１を底板１０側と頂板１５側とに容易に分離して開封できる。
【００４９】
また、角部２４の開封誘導線Ｌ１８，Ｌ１８は、罫線Ｌ５（Ｌ６）方向に対向した状態でそれぞれ切断誘導線Ｌ１７に交差しているので、ジッパー１７の裂け目がずれやすい角部２４において裂け目のずれを好適に抑制することができる。したがって、開封操作性に優れる包装箱１が得られる。
【００５０】
図６〜図９にジッパー１７の変形例を示す。
図６に示す第一変形例のジッパー１７では、Ｖ字形状の開封誘導線Ｌ２２を用いている。開封誘導線Ｌ２２は、帯状領域１７ａの外側から内側に亘って延在する第一部分Ｌ２２ａと、帯状領域１７ａの内側から外側に亘って延在する第二部分Ｌ２２ｂとを備えている。
【００５１】
このジッパー１７においても、前記実施形態と同様の作用効果が得られる。すなわち、開封誘導線Ｌ２２により、帯状領域１７ａの外側にずれようとする裂け目を内側に誘導する作用と、帯状領域の内側にずれようとする裂け目を外側に誘導する作用とを交互に生じさせることができる。したがって、開封時に、ジッパー１７のちぎれや広がりが好適に抑えられることとなり、ジッパー１７を安定して開封することができる。
【００５２】
図７に示す第二変形例のジッパー１７では、凹形状（コ字状）の開封誘導線Ｌ２３を用いている。開封誘導線Ｌ２３は、帯状領域１７ａの外側から内側に亘って延在する第一部分Ｌ２３ａと、帯状領域１７ａの内側から外側に亘って延在する第二部分Ｌ２３ｂと、帯状領域１７ａ内において第一部分Ｌ２３ａと第二部分Ｌ２３ｂとを繋ぐ第三部分Ｌ２３ｃとを備えている。第一部分Ｌ２３ａ及び第二部分Ｌ２３ｂは、切断誘導線Ｌ１７に直交している。第三部分Ｌ２３ｃは、切断誘導線Ｌ１７と略平行である。なお、第一部分Ｌ２３ａ及び第二部分Ｌ２３ｂは、切断誘導線Ｌ１７に対して傾斜させてもよい。
【００５３】
このジッパー１７においても、前記実施形態と同様の作用効果が得られる。すなわち、開封誘導線Ｌ２３により、帯状領域１７ａの外側にずれようとする裂け目を内側に誘導する作用と、帯状領域の内側にずれようとする裂け目を外側に誘導する作用とを交互に生じさせることができる。したがって、開封時に、ジッパー１７のちぎれや広がりが好適に抑えられることとなり、ジッパー１７を安定して開封することができる。
【００５４】
図８に示す第三変形例のジッパー１７では、湾曲状の開封誘導線Ｌ２４を用いている。開封誘導線Ｌ２４は、帯状領域１７ａの外側から内側に亘って延在し、帯状領域１７ａの縁部に交差している。つまり、開封誘導線Ｌ２４の両端部のうち、帯状領域１７ａの外側に位置する端部は、帯状領域１７ａの内側に位置する端部よりもジッパー１７の開封開始側（切れ目部１９が存在する側）に位置している。
【００５５】
このジッパー１７では、帯状領域１７ａの外側にずれようとする裂け目を内側に好適に誘導することができる。したがって、開封時に、ジッパー１７の広がりが好適に抑えられることとなり、ジッパー１７を安定して開封することができる。
なお、第三変形例とは逆に、帯状領域１７ａの内側から外側に亘って延在するように開封誘導線Ｌ２４を設けた場合には、帯状領域１７ａの内側にずれようとする裂け目を外側に誘導する作用が得られる。この場合には、開封途中でジッパー１７がちぎれるのを好適に防止することができる包装箱１が得られる。
【００５６】
図９に示す第四変形例のジッパー１７では、直線状の開封誘導線Ｌ２５を用いている。開封誘導線Ｌ２５は、帯状領域１７ａの外側から内側に亘って延在し、帯状領域１７ａの縁部に交差している。つまり、開封誘導線Ｌ２５の両端部のうち、帯状領域１７ａの外側に位置する端部は、帯状領域１７ａの内側に位置する端部よりもジッパー１７の開封開始側（切れ目部１９が存在する側）に位置している。
【００５７】
このジッパー１７においても、帯状領域１７ａの外側にずれようとする裂け目を内側に好適に誘導することができる。したがって、開封時に、ジッパー１７の広がりが好適に抑えられることとなり、ジッパー１７を安定して開封することができる。
なお、第四変形例とは逆に、帯状領域１７ａの内側から外側に亘って延在するように開封誘導線Ｌ２５を設けた場合には、開封途中でジッパー１７がちぎれるのを好適に防止することができる包装箱１が得られる。
【００５８】
以上、本発明の実施形態について説明したが、本発明は前記実施形態に限定されることなく、その趣旨を逸脱しない範囲で適宜に変更が可能である。
例えば、開封誘導線Ｌ１８、Ｌ２２〜Ｌ２５は、種々の形状のものを採用することができる。また、開封誘導線Ｌ１８、Ｌ２２〜Ｌ２５を適宜組み合わせてジッパー１７を構成してもよい。
【００５９】
また、ジッパー１７は、包装箱１の一部又は全体を開封できるものであればよく、帯状領域１７ａの幅や長さは、種々採用することができる。
【００６０】
また、開封誘導線Ｌ１８が包装箱１の胴部となる前端壁１１等に設けられたものを示したが、これに限定されることはなく、底板１０や頂板１５に設けてもよい。また、左側壁１３，右側壁１４に対して上下方向に設けてもよい。
【００６１】
本実施形態の包装箱１は段ボール製であるが、各種公知の板紙によって包装箱を形成してもよい。
【符号の説明】
【００６２】
１      包装箱
１０    底板
１１    端壁（前端壁）
１２    端壁（後端壁）
１３    側壁（左側壁）
１４    側壁（右側壁）
１５    頂板
１７    ジッパー
１７ａ  帯状領域
２１    側部フラップ
２２    側部フラップ
３１    上側フラップ
３２    下側フラップ
Ｌ１７  切断誘導線
Ｌ１８  開封誘導線
【図１】
2019077487.tif 000003
【図２】
2019077487.tif 000004
【図３】
2019077487.tif 000005
【図４】
2019077487.tif 000006
【図５】
2019077487.tif 000007
【図６】
2019077487.tif 000008
【図７】
2019077487.tif 000009
【図８】
2019077487.tif 000010
【図９】
2019077487.tif 000011